(57)【特許請求の範囲】
【請求項１】
照明用光源のランプ球に係合するソケットと、開口部を有し前記ソケットを覆うカップと、前記カップの開口部に設けられ前記ランプ球に弾性を持って当接する第１のパッキンと、開口部を有し前記カップを覆うホルダーと、両端に開口部を有し一方の開口部が前記ホルダーの開口部に接続すると共に前記第１のパッキンを覆うキャップと、該キャップの他方の開口部に設けられ前記ランプ球に弾性を持って当接する第２のパッキンとを具備したことを特徴とする照明器具。
【請求項２】
照明用光源のランプ球と、該ランプ球に係合するソケットと、開口部を有し前記ソケットを覆うカップと、前記カップの開口部に設けられ前記ランプ球に弾性を持って当接する第１のパッキンと、開口部を有し前記カップを覆うホルダーと、両端に開口部を有し一方の開口部が前記ホルダーの開口部に接続すると共に前記第１のパッキンを覆うキャップと、該キャップの他方の開口部に設けられ前記ランプ球に弾性を持って当接する第２のパッキンとを具備したことを特徴とする照明器具。
【請求項３】
キャップとホルダーとが一体に形成されていることを特徴とする請求項１又は請求項２記載の照明器具。
【請求項４】
第２のパッキンは、弾性部材と高剛性部材とを有することを特徴とする請求項１乃至請求項３のいずれかに記載の照明器具。
【請求項５】
弾性部材はリング状に形成され、高剛性部材は前記弾性部材の外周部から内周端近傍に渡って配置したことを特徴とする請求項４記載の照明器具。
【請求項６】
第２のパッキンは、ランプ球と当接する部分に薄肉部を有する弾性部材を備えたことを特徴とする請求項１乃至請求項３のいずれかに記載の照明器具。
【請求項７】
第２のパッキンは、高剛性部材を有することを特徴とする請求項６記載の照明器具。
【請求項８】
弾性部材はリング状に形成され、薄肉部は前記弾性部材の内周端近傍に溝を設けて形成されたことを特徴とする請求項６又は請求項７記載の照明器具。
【請求項９】
高剛性部材は、弾性部材の外周部から内周端近傍に渡って配置したことを特徴とする請求項８記載の照明器具。
【請求項１０】
キャップは、円筒部に複数の開口孔を有することを特徴とする請求項１乃至請求項９のいずれかに記載の照明器具。
【発明の詳細な説明】
【０００１】
【発明の属する技術分野】
この発明は、防水構造を有した照明器具に関するものである。
【０００２】
【従来の技術】
図６は、従来の照明器具の一例である屋外照明灯の断面図である。図において、１は一端に電極となる口金１ａを有した照明用光源のランプ球、２はランプ球１の口金１ａがねじ込まれることでランプ球１と係合し、ランプ球１を支持すると共にランプ球１の点灯用電源の供給を制御する給電機器（図示せず）からの給電線（図示せず）を接続してランプ球１に給電するソケット、３はソケット２を覆うカップ、４は円筒状であって一方の開口部４ａ近傍の内壁でランプ球１と弾性を有して当接する第１のパッキン、５は円筒状であって第１のパッキン４を覆うキャップ、６はカップ３を覆うホルダーである。ここで、カップ３の一方に開口した開口部３ａと第１のパッキン４の他方の開口部４ｂを密着させると共にキャップ５の一方の開口部５ａと合わせて、ネジ１００によりホルダー６の一方に開口した開口部６ａに取付けられている。１０１はランプ球１及びソケット２を冷却するために設けられた冷却用空間である。冷却用空間１０１はカップ３、キャップ５及びホルダー６で構成し、冷却用の風または水を外部から通すため、ホルダー６に設けられた入口穴（図示せず）とキャップ５に設けられた出口穴（図示せず）とを有している。また、ソケット２は、カップ３又はホルダー６との間に設けられた支持機構（図示せず）によりカップ３又はホルダー６に支持され、ホルダー６は、屋外に設けられた支柱、屋外監視カメラ装置、屋外広告塔などの屋外照明灯を設置する設備との間に設けられた固定機構（図示せず）により屋外照明灯を設置する設備に固定されている。
【０００３】
上記、従来の構成において、ランプ球１の口金１ａをソケット２にねじ込んでランプ球１をソケット２に係合させることにより、第１のパッキン４の一方の開口部４ａ近傍の内壁とランプ球１が弾力を有して当接するので、ソケット２に対する防水作用が発生し、ソケット２の絶縁性能が低下することを防ぐことができるものである。
【０００４】
【発明が解決しようとする課題】
従来の照明器具の一例である屋外照明灯は、通常の降雨において、第１のパッキン４により、ソケット２に対する防水作用を確保できる。しかし、台風に代表されるような強風を伴う降雨の場合、高い風圧及び高い水圧のため、第１のパッキン４が捲れあがり、ソケット２へ雨水が進入してソケット２の絶縁性能を低下させるという課題があった。
【０００５】
この発明は上記の課題を解決するためになされたもので、例えば、台風に代表されるような強風を伴う降雨においても高い防水作用を確保することを目的とする。
【０００６】
【課題を解決するための手段】
この発明における照明器具は、照明用光源のランプ球に係合するソケットと、開口部を有しソケットを覆うカップと、カップの開口部に設けられランプ球に弾性を持って当接する第１のパッキンと、開口部を有しカップを覆うホルダーと、両端に開口部を有し一方の開口部がホルダーの開口部に接続すると共に第１のパッキンを覆うキャップと、キャップの他方の開口部に設けられランプ球に弾性を持って当接する第２のパッキンとを具備したものである。
【０００７】
また、照明用光源のランプ球と、ランプ球に係合するソケットと、開口部を有しソケットを覆うカップと、カップの開口部に設けられランプ球に弾性を持って当接する第１のパッキンと、開口部を有しカップを覆うホルダーと、両端に開口部を有し一方の開口部がホルダーの開口部に接続する共に第１のパッキンを覆うキャップと、キャップの他方の開口部に設けられランプ球に弾性を持って当接する第２のパッキンとを具備したものである。
【０００８】
また、キャップとホルダーとが一体に形成されているものである。
【０００９】
また、第２のパッキンは、弾性部材と高剛性部材とを有するものである。
【００１０】
また、弾性部材はリング状に形成され、高剛性部材は弾性部材の外周部から内周端近傍に渡って配置したものである。
【００１１】
また、第２のパッキンは、ランプ球と当接する部分に薄肉部を有する弾性部材を備えたものである。
【００１２】
また、第２のパッキンは、高剛性部材を有するものである。
【００１３】
また、弾性部材はリング状に形成され、薄肉部は弾性部材の内周端近傍に溝を設けて形成されたものである。
【００１４】
また、高剛性部材は、弾性部材の外周部から内周端近傍に渡って配置したものである。
【００１５】
また、キャップは、円筒部に複数の開口孔を有するものである。
【００１６】
【発明の実施の形態】
実施の形態１．
図１は、本発明の実施の形態１による照明器具の断面図である。図は照明器具の一例である屋外照明灯を示している。図において、１は一端に電極となる口金１ａを有した照明用光源のランプ球、２はランプ球１の口金１ａがねじ込まれることでランプ球１と係合し、ランプ球１を支持すると共にランプ球１の点灯用電源の供給を制御する給電機器（図示せず）からの給電線（図示せず）を接続してランプ球１に給電するソケット、３はソケット２を覆うカップ、４は円筒状であって一方の開口部４ａ近傍の内壁でランプ球１と弾性を有して当接する第１のパッキン、５は円筒状であって第１のパッキンを覆うキャップ、６はカップ３を覆うホルダーである。ここで、カップ３の一方に開口した開口部３ａと第１のパッキン４の他方の開口部４ｂを密着させると共にキャップ５の一方の開口部５ａと合わせて、ネジ１００によりホルダー６の一方に開口した開口部６ａに取付けられている。７はゴム材等の弾性部材をリング状に形成したものであって内周端部７ａでランプ球１と弾性を有して当接すると共に、外周部において一方に延在して設けられた円筒部７ｂとキャップ５の他方の開口部５ｂ近傍の外壁とを嵌合、接着又は締め付け具（図示せず）による締め付け等で固定した第２のパッキンである。ここで、第２のパッキン７の内周端部７ａは、第１のパッキン４の開口部４ａの外側においてランプ球１と当接するように配置されている。また、ソケット２は、カップ３又はホルダー６との間に設けられた支持機構（図示せず）によりカップ３又はホルダー６に支持され、ホルダー６は、屋外に設けられた支柱、屋外監視カメラ装置、屋外広告塔などの屋外照明灯を設置する設備との間に設けられた固定機構（図示せず）により屋外照明灯を設置する設備に固定されている。
【００１７】
上記の構成において、ランプ球１の口金１ａをソケット２にねじ込んでランプ球１をソケット２に係合させることにより、第１のパッキン４の開口部４ａ近傍の内壁とランプ球１が弾力を有して当接すると共に、第１のパッキン４の開口部４ａの外側において、第２のパッキン７の内周端部７ａとランプ球１が弾性を有して当接するので、ソケット２に対する防水作用は第１のパッキン４及び第２のパッキン７の２箇所で発生する。その結果、台風に代表されるような強風を伴う降雨における高い風圧及び高い水圧においても、まず、この高い風圧及び高い水圧を第２のパッキン７が受け止めるので、例えば、高い風圧及び高い水圧のために第２のパッキン７が捲れあがり、降雨の一部が第２のパッキン７を通過したとしてもその通過した降雨の一部の風圧及び水圧は第２のパッキン７により弱められたものとなる。従って、第２のパッキン７を通過したこれらの降雨の一部の風圧及び水圧は弱められたものとなり、第１のパッキン４での防水が可能となるものである。
【００１８】
以上のように、本発明の実施の形態１による照明器具は、第１のパッキン４の外側において、ランプ球１と弾性を有して当接する第２のパッキン７を設けたので、台風に代表されるような強風を伴う降雨における高い風圧及び高い水圧において、この高い風圧及び高い水圧を第２のパッキン７が受け止め、降雨の一部が第２のパッキン７を通過したとしてもその通過した降雨の一部の風圧及び水圧は第２のパッキン７により弱められるため、第１のパッキン４での防水が可能となり、ソケット２への雨水進入を防止してソケット２の絶縁性能を保持できるという効果がある。
【００１９】
なお、上記の実施の形態ではキャップ５とホルダー６を別々に設けて示したが、ホルダー６の開口部６ａを第１のパッキンを覆うように延在させて、その延在部分をキャップ５とすることでキャップ５とホルダー６とを一体に形成しても同様の効果を得ることができると共に、照明器具を構成する部品点数が減るので安価にできるという効果がある。
【００２０】
また、上記の実施の形態では第２のパッキン７の全てをゴム材のみで示したが、第２のパッキン７とランプ球１が弾性を有して当接する内周端部７ａのみをゴム材で構成しても同様の効果を得ることができる。
【００２１】
また、上記の実施の形態では照明器具を屋外照明灯で示したが、水しぶきがかかり、防水作用を必要とする工場内、浴室等の屋内の照明器具に用いても同様の効果を得ることができる。
【００２２】
実施の形態２．
図２は、本発明の実施の形態２による照明器具の断面図である。図において、８はリング状であって内周端部８ａでランプ球１と弾性を有して当接すると共に、外周部において一方に延在して設けられた円筒部８ｂとキャップ５の他方の開口部５ｂ近傍の外壁とを嵌合、接着又は締め付け具（図示せず）による締め付け等で固定した第２のパッキンである。第２のパッキン８はリング状に形成された弾性部材のゴム材８ｃとリング状に形成された高剛性部材の板金リング８ｄとで構成され、板金リング８ｄはゴム材８ｃの一方の円盤面に一体又は接着等により形成されている。ここで、板金リング８ｄの内周端は第２のパッキン８の内周端部８ａの近傍まで延在している。また、板金リング８ｄの外周端部はキャップ５の他方の開口部５ｂと当接している。
【００２３】
この実施の形態における第２のパッキン８は、実施の形態１における第２のパッキン７と同様に動作し、台風に代表されるような強風を伴う降雨における高い風圧及び高い水圧においても、第１のパッキン４での防水が可能となるものである。
【００２４】
更に、第２のパッキン８は高剛性部材の板金リング８ｄを設けており、台風に代表されるような強風を伴う降雨における高い風圧及び高い水圧で第２のパッキン８が変形することを抑制する力を高めることができるので、変形抑制力を同様に有する弾性部材のゴム材８ｃの厚みを減らすことができ、第２のパッキン８の小型化が可能となるものである。
【００２５】
以上のように、本発明の実施の形態２による照明器具は、第２のパッキン８に高剛性部材の板金リング８ｄを設けており、台風に代表されるような強風を伴う降雨における高い風圧及び高い水圧においても、第１のパッキン４での防水が可能となり、ソケット２への雨水進入を防止してソケット２の絶縁性能を保持できる。また、弾性部材のゴム材８ｃの厚みを減らすことができるので第２のパッキン８を小型化できる、という効果がある。
【００２６】
なお、上記の実施の形態では第２のパッキン８のゴム材８ｃを第２のパッキン８の全体に渡って設けて示したが、第２のパッキン８とランプ球１が弾性を有して当接する内周端部８ａのみをゴム材で構成しても同様の効果を得ることができる。
【００２７】
実施の形態３．
図３は、本発明の実施の形態３による照明器具の断面図である。図において、９はゴム材等の弾性部材をリング状に形成したものであって内周端部９ａでランプ球１と弾性を有して当接すると共に、外周部において一方に延在して設けられた円筒部９ｂとキャップ５の開口部５ｂ近傍の外壁とを嵌合、接着又は締め付け具（図示せず）による締め付け等で固定した第２のパッキン、９ｃは第２のパッキン９の内周端部９ａ近傍の外周に設けられた薄肉部である。薄肉部９ｃはランプ球１を挿入する側の第２のパッキン９の円盤面に段差を設けてランプ球１と対向する内周端部９ａの幅より狭い厚さに形成されている。
【００２８】
この実施の形態における第２のパッキン９は、実施の形態１における第２のパッキン７と同様に動作し、台風に代表されるような強風を伴う降雨における高い風圧及び高い水圧においても、第１のパッキン４での防水が可能となるものである。
【００２９】
また、第２のパッキン９は内周端部９ａ近傍の外周に薄肉部９ｃを設けているため、内周端部９ａはランプ球１との当接において、外周方向にたわみやすくなるので、ランプ球１の径にバラツキが生じている場合においてもランプ球１と確実に弾性を有して当接することが可能となるものである。
【００３０】
更に、ランプ球１の口金１ａをソケット２に係合させるためにランプ球１の挿入において、第２のパッキン９の薄肉部９ｃがランプ球１の挿入方向に容易に折れ曲がり、内周端部９ａのランプ球１を挿入する側がランプ球１側にたわむので、第２のパッキン９はランプ球１に確実に当接すると共に強固に密着することが可能となるものである。
【００３１】
以上のように、本発明の実施の形態３による照明器具は、第２のパッキン９を設けており、台風に代表されるような強風を伴う降雨における高い風圧及び高い水圧においても、第１のパッキン４での防水が可能となり、ソケット２への雨水進入を防止してソケット２の絶縁性能を保持できる。また、薄肉部９ｃを設けており、内周端部９ａは外周方向にたわみやすくなるので、ランプ球１の径にバラツキが生じている場合においてもランプ球１と確実に弾性を有して当接することができ、また、薄肉部９ｃがランプ球１の挿入方向に容易に折れ曲がり、内周端部９ａのランプ球１を挿入する側がランプ球１側にたわむので、ランプ球１に確実に当接すると共に強固に密着することができる、という効果がある。
【００３２】
なお、上記の実施の形態では第２のパッキン９の全てをゴム材のみで示したが、第２のパッキン９とランプ球１が弾性を有して当接する内周端部９ａのみをゴム材で構成しても同様の効果を得ることができる。
【００３３】
実施の形態４．
図４は、本発明の実施の形態４による照明器具の断面図である。図において、１０はリング状であって内周端部１０ａでランプ球１と弾性を有して当接すると共に、外周部において一方に延在して設けられた円筒部１０ｂとキャップ５の開口部５ｂ近傍の外壁とを嵌合、接着又は締め付け具（図示せず）による締め付け等で固定した第２のパッキン、１０ｃは第２のパッキン１０の内周端部１０ａ近傍の外周に設けられた薄肉部である。薄肉部１０ｃはランプ球１を挿入する側の第２のパッキン１０の円盤面に段差を設けてランプ球１と対向する内周端部１０ａの幅より狭い厚さに形成されている。第２のパッキン１０はリング状に形成された弾性部材のゴム材１０ｄとリング状に形成された高剛性部材の板金リング１０ｅとで構成され、板金リング１０ｅはゴム材１０ｄの一方の円盤面に一体又は接着等により形成されている。ここで、板金リング１０ｅの内周端は第２のパッキン１０の薄肉部１０ｃの近傍まで延在している。また、板金リング１０ｅの外周端部はキャップ５の他方の開口部５ｂと当接している。
【００３４】
この実施の形態における第２のパッキン１０は、実施の形態３における第２のパッキン９と同様に動作し、台風に代表されるような強風を伴う降雨における高い風圧及び高い水圧においても、第１のパッキン４での防水が可能となるものである。
【００３５】
また、内周端部１０ａはランプ球１との当接において、外周方向にたわみやすくなるので、ランプ球１の径にバラツキが生じている場合においてもランプ球１と確実に弾性を有して当接することが可能となるものである。
【００３６】
また、ランプ球１の口金１ａをソケット２に係合させるためにランプ球１を挿入する場合において、第２のパッキン１０の薄肉部１０ｃがランプ球１の挿入方向に容易に折れ曲がるため、内周端部１０ａのランプ球１を挿入する側がランプ球１側にたわむので、第２のパッキン１０はランプ球１に確実に当接すると共に強固に密着することが可能となるものである。
【００３７】
更に、第２のパッキン１０は高剛性部材の板金リング１０ｅを設けており、台風に代表されるような強風を伴う降雨における高い風圧及び高い水圧で第２のパッキン１０が変形することを抑制する力を高めることができるので、変形抑制力を同様に有する弾性部材のゴム材１０ｄの厚みを減らすことができ、第２のパッキン１０の小型化が可能となるものである。
【００３８】
以上のように、本発明の実施の形態４による照明器具は、第２のパッキン１０を設けており、台風に代表されるような強風を伴う降雨における高い風圧及び高い水圧においても、第１のパッキン４での防水が可能となり、ソケット２への雨水進入を防止してソケット２の絶縁性能を保持できる。また、薄肉部１０ｃを設けており、内周端部１０ａは外周方向にたわみやすくなるので、ランプ球１の径にバラツキが生じている場合においてもランプ球１と確実に弾性を有して当接することができる。また、薄肉部１０ｃがランプ球１の挿入方向に容易に折れ曲がり、内周端部１０ａのランプ球１を挿入する側がランプ球１側にたわむので、ランプ球１に確実に当接すると共に強固に密着することができる。また、高剛性部材の板金リング１０ｅを設けており、弾性部材のゴム材１０ｅの厚みを減らすことができるので第２のパッキン１０を小型化できる、という効果がある。
【００３９】
なお、上記の実施の形態では第２のパッキン１０のゴム材１０ｄを第２のパッキン１０の全体に渡って設けて示したが、第２のパッキン１０とランプ球１が弾性を有して当接する内周端部１０ａのみをゴム材で構成しても同様の効果を得ることができる。
【００４０】
実施の形態５．
図５は、本発明の実施の形態５による照明器具の部分断面図である。図は照明器具の紙面上半分を外観で示し、紙面下半分を断面で示している。図において、１１は円筒状であって第１のパッキン４を覆うキャップ、１２はキャップ１１の円筒部の全周に渡って複数設けられた開口孔である。この開口孔１２は第１のパッキン４の円筒部の範囲以内の上方に配置されている。１０２はランプ球１及びソケット２を冷却するために設けられた冷却用空間である。この冷却用空間１０２はカップ３、キャップ１１及びホルダー６で構成し、冷却用の風または水を外部から通すため、ホルダー６に設けられた入口穴（図示せず）とキャップ１１に設けられた出口穴（図示せず）とを有している。ここで、上記キャップ１１に設けられた出口穴から出る冷却用の風または水は、キャップ１１の円筒部に複数設けられた開口孔１２から外部へ排出される。また、キャップ１１は実施の形態４におけるキャップ５と同様に配置されていると共に、第２のパッキン１０は外周部において一方に延在して設けられた円筒部１０ｂとキャップ１１の円筒部の外壁とを上記開口孔１２をはずして嵌合、接着又は締め付け具（図示せず）による締め付け等で固定している。
【００４１】
この実施の形態におけるキャップ１１の円筒部に設けられた開口孔１２は、第１のパッキン４の円筒部の上方に設けられいるため、開口孔１２から入り込んで第１のパッキン４に吹き付ける風雨は第１のパッキン４の上方からのものが主となり、開口孔１２から入り込む風雨による第１のパッキン４の捲れ上がりは低減される。また、冷却用空間１０２を構成するキャップ１１に設けられた出口穴から出る冷却用の風または水は、キャップ１１の円筒部に設けられた開口孔１２から外部へ排出できる。これらより、風雨に対する第１のパッキン４での防水作用を確保できると共に、ランプ球１及びソケット２の除熱を行い、ランプ球１の点灯によって発生する熱でランプ球１又はソケット２が損傷することを防ぐことができるものである。
【００４２】
また、第２のパッキン１０は、実施の形態４と同様に動作するので、台風に代表されるような強風を伴う降雨における高い風圧及び高い水圧においても、第１のパッキン４での防水が可能となるものである。
【００４３】
以上のように、本発明の実施の形態５による照明器具は、第１のパッキン４の円筒部の上方に設けられたキャップ１１の開口孔１２は、開口孔１２を通過する風雨による第１のパッキン４の捲れ上がりを低減すると共に、冷却用空間１０２を構成するキャップ１１に設けられた出口穴から出る冷却用の風または水を、キャップ１１の円筒部に設けられた開口孔１２から外部へ排出できるので、風雨に対する第１のパッキン４での防水作用を確保できると共に、ランプ球１及びソケット２の除熱を行い、ランプ球１の点灯によって発生する熱でランプ球１又はソケット２が損傷することを防ぐことができる。また、第２のパッキン１０を設けており、台風に代表されるような強風を伴う降雨における高い風圧及び高い水圧においても、第１のパッキン４での防水が可能となり、ソケット２への雨水進入を防止してソケット２の絶縁性能を保持できる、という効果がある。
【００４４】
なお、上記の実施の形態ではキャップ１１の開口孔１２をキャップ１１の円筒部の全周に渡って設けて示したが、上方からの風雨がキャップ１１内部へ入ることを防ぐようにキャップ１１の下方の円筒部のみにキャップ１１の開口孔１２を設けても同様の効果を得ることができる。
【００４５】
また、上記の実施の形態では第２のパッキンを実施の形態４記載の第２のパッキン１０で示したが、実施の形態１記載の第２のパッキン７、実施の形態２記載の第２のパッキン８又は実施の形態３記載の第２のパッキン９で構成しても同様の効果を得ることができる。
【００４６】
【発明の効果】
この発明における照明器具は、第１のパッキンの外側において、ランプ球と弾性を有して当接する第２のパッキンを設けたので、台風に代表されるような強風を伴う降雨における高い風圧及び高い水圧において、この高い風圧及び高い水圧を第２のパッキンが受け止め、降雨の一部が第２のパッキンを通過したとしてもその通過した降雨の一部の風圧及び水圧は第２のパッキンにより弱められるため、第１のパッキンでの防水が可能となり、ソケットへの雨水進入を防止してソケットの絶縁性能を保持できる。
【００４７】
また、キャップ５とホルダー６とを一体に形成しており、照明器具を構成する部品点数が減るので安価にできる。
【００４８】
また、第２のパッキンに高剛性部材の板金リングを設けており、弾性部材のゴム材の厚みを減らすことができるので第２のパッキンを小型化できる。
【００４９】
また、第２のパッキンに薄肉部を設けており、内周端部は外周方向にたわみやすくなるので、ランプ球の径にバラツキが生じている場合においてもランプ球と確実に弾性を有して当接することができ、また、薄肉部がランプ球の挿入方向に容易に折れ曲がり、内周端部のランプ球を挿入する側がランプ球側にたわむので、ランプ球に確実に当接すると共に強固に密着することができる。
【００５０】
また、キャップの円筒部に開口を設けており、開口を通過する風雨による第１のパッキンの捲れ上がりを低減すると共に、冷却用空間を構成するキャップに設けられた出口穴から出る冷却用の風または水を、キャップの円筒部に設けられた開口から外部へ排出できるので、風雨に対する第１のパッキンでの防水作用を確保できると共に、ランプ球及びソケットの除熱を行い、ランプ球の点灯によって発生する熱でランプ球又はソケットが損傷することを防ぐことができる。
【図面の簡単な説明】
【図１】  本発明の実施の形態１による照明器具の断面図である。
【図２】  本発明の実施の形態２による照明器具の断面図である。
【図３】  本発明の実施の形態３による照明器具の断面図である。
【図４】  本発明の実施の形態４による照明器具の断面図である。
【図５】  本発明の実施の形態５による照明器具の部分断面図である。
【図６】  従来の照明器具の断面図である。
【符号の説明】
１  ランプ球、２  ソケット、３  カップ、３ａ  開口部、４  第１のパッキン、４ａ、４ｂ  開口部、５  キャップ、５ａ、５ｂ  開口部、６  ホルダー、６ａ  開口部、７〜１０  第２のパッキン、７ａ〜１０ａ  内周端部、７ｂ〜１０ｂ  円筒部、８ｃ、１２ｄ  ゴム材、８ｄ、１２ｅ  板金リング、９ｃ、１０ｃ
薄肉部、１１  キャップ、１２  開口孔
【図１】
0004048795.tif 000002
【図２】
0004048795.tif 000003
【図３】
0004048795.tif 000004
【図４】
0004048795.tif 000005
【図５】
0004048795.tif 000006
【図６】
0004048795.tif 000007